(57)【要約】  腕時計は、腕時計ケース（１）、腕時計ケース（１）上で回転する様に取り付けられたベゼル（４）、及び少なくとも１つの発光指標（１２ａ〜１２ｅ）を有する目盛り盤（８）を有する。発光指標（１２ａ〜１２ｅ）は、目盛り盤（８）の下に配置され、かつ、電力源（５４）により電力供給される少なくとも１つの光源（２８）により、目盛り盤（８）を介して照らされる。光源（２８）を起動させるための構成部分（７２）は、回転するベゼル（４）内に収容され、腕時計ケース（１）内に収容された検知部分（７６）と協働する。起動部分（７２）は、上記回転するベゼル（４）の所定の位置において、起動部分（７２）の存在が検知部分（７６）により検知されるように、配置される。その後、検知部分（７６）は、腕時計ケース（１）内に収容されたマイクロプロセッサ回路（４６）宛に電気信号を発する。マイクロプロセッサ回路（４６）は、検知部分（７６）により発せられた上記電気信号の受信に応じて、光源（２８）からの発光を所定時間の間行わせる電気信号を発する。【選択図】図１
2017516067.tif 000002
【特許請求の範囲】
【請求項１】
時計ムーブメント（３６）が内部に収容された腕時計ケース（１）、該腕時計ケース（１）上で回転するように取り付けられたベゼル（４）、及び少なくとも１つの発光指標（１２ａ〜１２ｅ）を有する目盛り盤（８）を有する腕時計であって、
前記発光指標（１２ａ〜１２ｅ）は、前記目盛り盤（８）の下に配置され、かつ、電力源（５４）により電力供給される少なくとも１つの光源（２８）により、前記目盛り盤（８）を介して照らされ、
前記光源（２８）を起動させるための起動部分（７２）は、回転するベゼル（４）内に収容され、前記腕時計ケース（１）内に収容された検知部分（７６）と協働し、
前記起動部分（７２）は、前記回転するベゼル（４）の所定の位置において、前記起動部分の存在が前記検知部分（７６）により検知されるように、配置され、
前記検知部分（７６）は、その後、前記腕時計ケース（１）内に収容された電源及び制御装置（３２）宛に電気信号を発するように構成され、
前記電源及び制御装置（３２）は、前記検知部分（７６）により発せられた前記電気信号の受信に応じて、前記光源（２８）からの発光を所定時間の間行わせる電気信号を発するように構成され、
少なくとも１つの前記光源（２８）は、前記目盛り盤（８）の下面（２０）の下に配置された第１プリント回路シート（１６）の上面（１８）上に設けられ、
前記第１プリント回路シート（１６）は、前記時計動作部（３６）の上方に配置され、
前記電源及び制御装置（３２）を有する第２プリント回路シート（４２）は、前記時計動作部（３６）の下に配置され、
前記第１プリント回路シート（１６）の有する前記光源（２８）は、接続用凸部（３４）により、前記電源及び制御装置（３２）に電気的に接続されることを特徴とする腕時計。
【請求項２】
前記起動部分（７２）は双極性磁石であり、かつ、検知部分（７４）は磁気センサであることを特徴とする、請求項１に記載の腕時計。
【請求項３】
前記目盛り盤（８）の下面（２０）は、前記目盛り盤（８）に設けられた少なくとも１つの発光指標（１２ａ〜１２ｅ）に対応する位置に、前記光源（２８）の生成する光が注入される光導体（２２ａ〜２２ｄ）を有することを特徴とする、請求項１または２に記載の腕時計。
【請求項４】
前記光導体（２２ａ〜２２ｄ）は拡散光導体であることを特徴とする、請求項３に記載の腕時計。
【請求項５】
前記光導体（２２ａ〜２２ｄ）は透明であり、かつ、前記光源（２８）により注入される光を、前記発光指標（１２ａ〜１２ｅ）に向かって上方向に抽出する機能を有する光抽出部が、前記光導体（２２ａ〜２２ｄ）内に設けられることを特徴とする、請求項３に記載の腕時計。
【請求項６】
前記第１プリント回路シート（１６）は、その上面（１８）を介して、前記目盛り盤（８）の下面（２０）に付着されることを特徴とする、請求項１〜５のいずれか一項に記載の腕時計。
【請求項７】
前記接続用凸部（３４）は、前記第１プリント回路シート（１６）の外面上の位置に設けられ、前記第２プリント回路シート（４２）上に設けられた連結具（４４）内に挿入されることを特徴とする、請求項１〜６のいずれか一項に記載の腕時計。
【請求項８】
前記起動部分（７２）は、前記接続用凸部（３４）上に配置されることを特徴とする、請求項１〜７のいずれか一項に記載の腕時計。
【請求項９】
第１の導電性接触パッド（５０）が、前記第２プリント回路シート（４２）の下面に設けられ、かつ、電力源（５４）の負極端子（５２）と直接接触し、
第２接触パッド（５６）が、前記電力源（５４）の正極端子（５８）に接続され、
前記電力源（５４）は、前記第２接触パッド（５６）と接触する導電性の取り付け用止め具（６０）により、前記第２プリント回路シート（４２）の下に固定され、かつ、接触板（６６）を介して、前記電力源（５４）の正極端子（５８）に接続されることを特徴とする、請求項１〜８のいずれか一項に記載の腕時計。
【請求項１０】
前記光源（２８）は、該光源（２８）を電力供給及び制御ボックス（８２）に接続する有線接続（７８）により、前記腕時計ケース（１）の外部から、電力供給及び制御されることを特徴とする、請求項１に記載の腕時計。
【発明の詳細な説明】
【技術分野】
【０００１】
本願発明は、蛍光時間表示の目盛り盤を有する腕時計に関する。より具体的には、本願発明は、白昼だけでなく暗闇でも、目盛り盤上の情報を読むことが可能な腕時計に関する。
【背景技術】
【０００２】
暗闇の中でもユーザが時刻を読むことができる腕時計タイプの時計が既に知られている。これらの腕時計のほぼ全ては、例えば、時間を表す時間指標（インデックス）を形成する凹部が中に配列された真ちゅうにより通常構成される目盛り盤を有する。その後、これらの凹部は、燐光物質が日中に蓄えた光度エネルギーを夜間に再起させることが可能な燐光物質を注入するためのシリンジ（注射器）により満たされる。高級腕時計の製造において一般的に使用される燐光物質は、日本の会社である根本特殊化学株式会社により、スーパールミノーバ（登録商標）というブランド名で販売されている。上記燐光物質は、ラジウムベースの発光塗料を効果的に置換した、アルミン酸ストロンチウムベースの非毒性かつ非放射性の物質である。しかしながら、腕時計の製造産業において、スーパールミノーバ（登録商標）という物質の使用が拡大しているため、夜間に見ることのできる腕時計の外観は、非常に統一されており、所与の製造会社の腕時計、及びその競合他社の腕時計は区別が困難である。全ての腕時計製造会社は、競合他社の腕時計との差別化を図るため、自社の製品に対して、視覚的に強い特徴を与えるような努力をしている。
【０００３】
更に、光源を有する腕時計では、光源は、通常、腕時計ケースの外面上の所与の位置に設けられる押しボタンにより起動されるため、ユーザが暗闇の中で、手探りで見付けるのは困難である。
【０００４】
本願発明は、上述の問題点を解決するために、暗闇及び白昼の双方において、容易に識別可能な外観を有する、時計の蛍光時間表示の目盛り盤を、他の構成要素に加えて有する時計を提供することを目的とする。
【発明の概要】
【０００５】
上記目的を達成するために、本願発明は、腕時計ケース、該腕時計ケース上で回転するように取り付けられたベゼル（枠）、及び少なくとも１つの発光指標（インデックス）を有する目盛り盤を有する腕時計に関する。該発光指標は、上記目盛り盤の下に配置され、かつ、電力源により電力供給される少なくとも１つの光源により、上記目盛り盤を介して照らされる。上記光源を起動させるための構成部分は、回転するベゼル内に収容され、上記腕時計ケース内に収容された検知部分と協働する。起動部分は、上記回転するベゼルの所定の位置において、上記起動部分の存在が上記検知部分により検知されるように、配置される。その後、上記検知部分は、上記光源からの発光を制御する電気信号を発する。
【０００６】
これらの特徴の結果として、本願発明は、ユーザからの要求に応じて、上記目盛り盤の下に配置された光源を発光させることにより、暗闇及び白昼の双方において目盛り盤上の情報を判読可能とする少なくとも１つの発光指標、例えば時間指標が、照らされる腕時計を提供する。上記光源からの発光を行うために、上記ユーザは、回転ベゼルを回転させて、所定の位置にもってくる必要があるだけである。該所定の位置では、上記回転ベゼル内に収容された起動部分の存在が検知部分により検知されると、これに応じて、上記光源が起動される。これにより、１つ以上の光源により要求に応じて照らすことの可能な時間記号を有する上記目盛り盤が設けられた腕時計が得られる。本願発明によれば、ユーザが夜間でも判読可能であり、他の腕時計の外観とは混乱することのない固有の外観を有する腕時計が提供される。上記電力源が自律していること、及び外観を美しく見せることの双方の理由により、上記光源を永久に点灯させたままにし得ないことは言うまでもないが、上記腕時計ベゼル内の起動部分、及び上記腕時計ケース内の対応する検知部分が有るため、要求に応じて、上記光源を点灯させることができる。更に、回転ベゼルを用いて、上記光源からの発光を行うことは、非常に容易である。実際に、ユーザにとって、暗闇の中で上記ベゼルを手探りで見付け、光源が発光するまで上記ベゼルを回転させることは、例えば、上記腕時計ケース上に配置された小さな押しボタンの存在を検知した後に、該ボタンを押して上記光源のスイッチを入れなければならないことよりも容易である。
【０００７】
本願発明の他の特徴及び効果は、本願発明に係る腕時計の一実施形態についての以下の詳細な説明により、より明瞭となる。このような実施例は、以下に説明する添付の図面を参照しながら、限定されない単なる例示として与えられる。
【図面の簡単な説明】
【０００８】
【図１】本願発明に係る腕時計ケースの分解斜視図である。
【図２】図１の腕時計の目盛り盤の底面図である。
【図３】図２の目盛り盤、並びに、光源及び対応する光導体がその上に設けられた第１シートの、組み立て前の状態における斜視図である。
【図４】上記目盛り盤、上記光導体、及び第１プリント回路シートにより形成されるモジュール（構成単位）の上面斜視図である。
【図５】上記目盛り盤、上記光導体、及び上記第１プリント回路シートにより形成されるモジュールの底面斜視図である。
【図６】本願発明に係る腕時計の時計ムーブメント用のケーシングリングの下に配置された光源への電力供給及び制御を行うための電子部品がその上に配置された第２プリント回路シートと共に、上記ケーシングリングの上方に配置された、上記目盛り盤、上記光導体、及び上記第１プリント回路シートにより形成されるモジュールの、組み立て前の状態における斜視図である。
【図７】上記時計ムーブメントの一部を可視的な状態とするように切り抜き（カットアウト）が配置された第２プリント回路シートの底面図である。
【図８】上記第２プリント回路シートの下にエネルギー源を設けるためのシステムの、組み立て前の状態における斜視図である。
【図９】図８に例示したエネルギー源を設けるためのシステムの鉛直断面図である。
【図１０】上記エネルギー源の固定クランプを所定位置に有する腕時計の下面を示す図である。
【図１１】上記エネルギー源が所定位置に設けられた、図１０と類似する腕時計の下面を示す図である。
【図１２】接触板が所定位置に設けられた、図１１と類似する腕時計の下面を示す図である。
【図１３】本願発明に係る腕時計ケースの上面図である。
【図１４】本願発明に係る、回転ベゼル内に収容された起動部分、及び上記腕時計ケース内に収容された検知部分を例示する、図１３の線ＸＩＶ−ＸＩＶに沿った断面図である。
【図１５】本願発明に係る腕時計ケースの後ろ側に形成された穴を横断する有線接続により、上記光源が上記腕時計ケースの外側から操作される変形態様を例示する図である。
【図１６Ａ】上記第１プリント回路シートが、上記回転ベゼルの異なる位置を検知すると共に、異なる方法により上記光源の起動を制御するための幾つかの検知部分を有する変形態様の概略図である。
【図１６Ｂ】上記第１プリント回路シートが、上記回転ベゼルの異なる位置を検知すると共に、異なる方法により上記光源の起動を制御するための幾つかの検知部分を有する変形態様の概略図である。
【発明を実施するための形態】
【０００９】
本願発明は、上記目盛り盤の下に配置された１つ以上の光源により、目盛り盤の表面上に配置された、例えば時間記号等の１つ以上の指標、及び／または１つ以上のロゴを照らすこと、並びに、上記腕時計ケース上で回転するように取り付けられたベゼルを用いて、上記光源からの発光を制御することを含む、包括的かつ独創的な着想に基づくものである。暗闇及び白昼の双方において腕時計の時間記号を照らすために、発光体ではなく光源を用いることにより、本願発明によれば、そのような腕時計が上記ユーザにより判読される時に、腕時計の外観を、競合他社の腕時計の外観と明確に区別することが可能となる。更に、単に所定の位置に持ってくるだけで、１つまたは複数の上記光源からの発光を行う回転ベゼルを用いることにより、上記ユーザは、腕時計の目盛り盤を照らすために、該腕時計の外面上の何処かに配置された小さな押しボタンを暗闇の中で手探りで探す必要が無くなるため、上記ユーザの手間は非常に軽減される。
【００１０】
図１を見ると明らかなように、包括的な参照番号である１により全体が示される、本願発明に係る腕時計ケースは、回転ベゼル４がその最上部に設けられたミドルケース２を有する。時間、分、及び秒を示す一組の時計針６は、目盛り盤脚部１０を有し、かつ、クリスタルガラス１１により覆われる目盛り盤８の上方において動作する。
【００１１】
目盛り盤８は、少なくとも１つの指標、特に図２に示す実施例では、正午、３時、６時、及び９時の位置にそれぞれ配設された４つの指標１２ａ、１２ｂ、１２ｃ、１２ｄを有する。これら４つの指標１２ａ〜１２ｄは、単なる例示であるが、目盛り盤８の端部から等距離に位置し、かつ、その頂点が目盛り盤８の中心に向かう４つの二等辺三角形により形成される。１２ｅにより参照される第５の指標は、例えば、出願人の商業用ロゴΩに対応する。この第５の指標１２ｅは、目盛り盤８の中心から短い距離をおいて、第１の指標１２ａの下に配置される。当然のことながら、かかる態様は、単なる設計上の選択事項に過ぎず、本願発明は、指標１２ａ〜１２ｅの数、形状、または位置に限定されない。
【００１２】
目盛り盤８を製造するための技術として、２つの技術が想定可能である。１つ目の技術では、指標１２ａ〜１２ｅの配置される位置を除き、塗料層により覆われた透明な目盛り盤８を用いる。２つ目の技術では、指標１２ａ〜１２ｅに対応する形状の穴が開けられた不透明な目盛り盤８を用いる。指標１２ａ〜１２ｅに対応して開けられた穴は、好適には、目盛り盤８の下から付着される小さな粘着性の薄片１４を用いて、閉じられるであろう。これらの薄片１４の色としては、透明色、または、光を拡散する白色若しくは有色を選択することができる。
【００１３】
本願発明（図３参照）によれば、第１プリント回路シート１６は、実質的に円形の輪郭を有し、かつ、目盛り盤８の直径よりも僅かに小さな直径を有すると共に、第１プリント回路シート１６の上面１８を介して、目盛り盤８の下面２０上に付着される。１つの製造技術では、目盛り盤８の下面２０に、複数片の両面接着テープを設けた上で、第１プリント回路シート１６を目盛り盤８上に押し付けるものとしてもよい。
【００１４】
第１プリント回路シート１６の上面が押し付けられる、目盛り盤８の下面２０には、目盛り盤８内に配置された指標１２ａ〜１２ｅと一致する位置に、ほぼ長方形状であり、かつ、そのサイズが指標１２ａ〜１２ｅのサイズよりも僅かに大きな４つの光導体２２ａ、２２ｂ、２２ｃ、２２ｄが設けられる。図２及び図３を見ると明らかなように、光導体２２ａ〜２２ｄは、目盛り盤８の下に導体（ガイド）を取り付けるための突起部２４を有する。図３に示す実施例では、取り付け用突起部２４は非対称的であるため、光導体２２ａ〜２２ｄが目盛り盤８の下に反対に取り付けられることを回避するフールプルーフの（間違えようのない）手段を提供する。光導体２２ａ〜２２ｄを取り付けるために、目盛り盤８の下面２０は、その外形が光導体２２ａ〜２２ｄの外形と一致する凹部２３ａ〜２３ｄを有する。光導体２２ａ〜２２ｄは、これらの突起部２４を介して、目盛り盤８の下に付着される。これにより、光導体２２ａ〜２２ｄが接着剤に覆われない結果、光が全反射により光導体２２ａ〜２２ｄ内に伝搬される場所において、目盛り盤８の光導体２２ａ〜２２ｄ及び下面２０の間に、薄い空気層の存在が確保される。
【００１５】
第１プリント回路シート１６が目盛り盤８の下面２０に押し付けられる際に介する、第１プリント回路シート１６の上面１８は、光導体２２ａ、２２ｂ、２２ｃ、２２ｄと一致する位置に、例えば、発光ダイオードタイプの光源２８を有する。これらの光源２８は、第１プリント回路シート１６が目盛り盤８の下面２０に付着された時に、光源２８が、第１プリント回路シート１６の外面に相対する位置にある光導体２２ａ〜２２ｄの短辺３０に対向するように、第１プリント回路シート１６の上面１８上に配置される。これらの光源２８は、水平方向に発する光が全反射により光導体２２ａ〜２２ｄ内に伝搬するように、光導体２２ａ〜２２ｄと光学的に結合される。目盛り盤８に対する第１プリント回路シート１６の位置決めを容易にするために、好適には、第１プリント回路シート１６には、目盛り盤８の目盛り盤脚部１０が嵌合する穴３１が開けられる。
【００１６】
当然のことながら、光源２８が十分に広い光拡散角度を有する場合には、光導体２２ａ〜２２ｄを設けることなく、指標１２ａ〜１２ｅの直下に光源２８を配置することも可能である。また、上方向に垂直に照らす光源２８に対し、必要に応じて拡散レンズを対応付けて、より広い表面積を照らすことも想定可能である。光導体２２ａ〜２２ｄは、光拡散型のものであってもよい。このような場合には、目盛り盤８内に配置された指標１２ａ〜１２ｅに合うように開けられた穴を閉じる小さな粘着性の薄片は、透明のものであってもよい。しかしながら、拡散光導体には、等方性方法により光を拡散するという難点がある；このため、拡散光導体は、指向性を欠き、指標の輝度が低下してしまう可能性がある。従って、例えば、ポリ（メタクリル酸メチル）またはＰＭＭＡから構成され、かつ、光源２８により光導体内に注入される光を、上記指標に向かって上方向に抽出する機能を有する光抽出部がその内部に構成された透明な光導体を用いることが好ましい。上記ユーザから見て目盛り盤８の下に配置された光導体２２ａ〜２２ｄ及び光源２８を隠すこと、及び上記ユーザが上記光抽出部を裸眼で見ることができるリスク、すなわち“ピクセレーション”として知られる問題を防止することを目的として、透明な光導体は、拡散接着片と結合されるものとしてもよい。該拡散接着片の上には、上記ユーザから見て目盛り盤８の下に配置された光導体２２ａ〜２２ｄ及び光源を隠す機能を有する透過型塗料層が配置されるであろう。
【００１７】
光源２８を電源及び制御装置３２に接続可能とする導電性パス（不図示）は、以下に説明するように、その全てが、プリント回路シート１６の外面上の所定位置に設けられた接続用凸部３４に集中する。
【００１８】
プリント回路シート１６が、目盛り盤８（図４、図５参照）の下面２０に一旦固定されると、このようにして得られた構成部品は、時計ムーブメント３６上に配置され、その後、目盛り盤８（図６、図７参照）の目盛り盤脚部１０により、時計ムーブメント３６上に固定される。その後、一組の時計針６は、時計ムーブメント３６の導管（パイプ）上に押し付けられる。その結果として得られた構成部品は、ケーシングリング３８内に効果的に収容され、その後、接続用凸部３４は９０°に曲げられ、その自由端は、ケーシングリング３８の外周の側壁に形成された隙間４０を通される。最終的に、ケーシングリング３８自体は、ミドルケース２内のねじ及び止め具（クランプ）により固定される。
【００１９】
時計ムーブメント３６は、例えば、純粋に機械式または電気機械式等の如何なるタイプのものであってもよい。本願発明は、機械式ムーブメントに対して如何なる修正も加える必要無く、そのような機械式腕時計を、電灯照明機能と結合することができるため、特に、上記腕時計が純粋に機械式ムーブメントを備える場合に効果的である。
【００２０】
電源及び制御装置３２を有する第２プリント回路シート４２は、ケーシングリング３８の下に配置される。特に、第２プリント回路シート４２は、第１プリント回路シート１６の接続用凸部３４が嵌合される連結具４４、並びに、光源２８の制御及び電力管理のプログラミングに必要な様々な電子部品、とりわけマイクロプロセッサ回路４６を有する。これにより、接続用凸部３４は、ケーシングリング３８内に収容される時計ムーブメント３６を架ける（スパニングする）ことにより、第１プリント回路シート１６の有する光源２８を、第２プリント回路シート４２の有する電子的プログラミング及び電力管理部４６に直接接続可能であることが判る。これらの特徴を有する結果として、時計ムーブメント３６に修正を施さなくとも、電灯照明装置を有する純粋に機械式腕時計を提供することができる。連結具４４は、例えば、ゼロ挿入力（ＺＩＦ）タイプである。図７に示すように、時計ムーブメント部３６の一部を可視的な状態とするための切り抜き４８が、第２プリント回路シート４２内に形成されるものとしてもよい。
【００２１】
第１導電性接触パッド５０は、例えば、薄い円盤（ディスク）形状を有し、第２プリント回路シート４２の下面に設けられると共に、例えば、充電式バッテリまたは蓄電池等の電力源５４の負極端子５２に直接接続される（図８、図９参照）。第２接触パッド５６は、例えば円環形状を有し、第１導電性接触パッド５０の周囲に同心円状に配置されると共に、電力源５４の正極端子５８に接続されることが意図されている。上記目的を達成するために、電力源５４は、例えば固定用ねじ６２により固定される導電性の取り付け用止め具６０を用いて、第２プリント回路シート４２の下に固定される（図１０参照）。該取り付け用止め具６０は、周縁部６４を介して、第２接触パッド５６と円弧状に接している。周縁部６４は、その外形が第２接触パッド５６の外形と同一であり、その高さが電力源５４の厚さと等しい。最終的には、電力源５４及び第２接触パッド５６間の電気的な接続は、接触板６６により確保され、これにより、電力源５４の正極端子５８及び取り付け用止め具６０が電気的に相互接続される（図１１、図１２参照）。該接触板６６は、例えば、固定用ねじ６８により、取り付け用止め具６０上に固定される。
【００２２】
最終的には、目盛り盤８、第１プリント回路部１６、時計ムーブメント３６、ケーシングリング３８、第２プリント回路シート４２、及び電力源５４により形成される構成部品は、裏ぶた７０により下方から閉じられるミドルケース２内に、配置される。
【００２３】
本願発明によれば、少なくとも１つの光源２８を起動させるための構成部分は、回転ベゼル４内に収容される（図１３、図１４参照）。該起動部分は、典型的には、偏光７４と垂直方向に指向性を有する双極性磁石７２である。該双極性磁石７２の存在は、例えば、磁気センサ７６等の検知部分により検知される。該検知部分は、裏ぶた７０により閉じられるミドルケース２により形成される腕時計ケース１内に収容される。好適であるが限定されない実施形態によれば、磁気センサ７６は、接続用凸部３４に固定される。これにより、該固定位置が、双極性磁石７２の存在が磁気センサ７６により検知される、回転ベゼル４の位置を決定する、腕時計ケース１内の磁気センサ７６の位置であることが判る。双極性磁石７２の存在が磁気センサ７６により検知されると、すなわち、本実施例の場合には、双極性磁石７２が磁気センサ７６の上方に位置すると、磁気センサ７６は、マイクロプロセッサ回路４６宛の電気信号を生成する。マイクロプロセッサ回路４６は、該電気信号を受信すると、光源２８からの発光を所定時間の間行わせる電気信号を発する。本願発明の要求に適合する磁気センサ７６の一例として、米国のＮＶＥ株式会社の販売する、ＡＤＬシリーズの超低出力デジタルセンサが挙げられる。これらのデジタルセンサは、磁気抵抗型のセンサであり、低電圧かつ超低電流において動作するようになっている。これらのデジタルセンサは、磁気“スイッチ”のように動作し、磁場が適用されると“１”を出力する一方、磁場が除去されると“０”に戻る。これらの磁気“スイッチ”は、磁場に対する感度の高い磁気抵抗型素子、及び該高感度素子により生成されるアナログ信号をデジタル素子に変換するためのＣＭＯＳ型信号処理装置を有する。
【００２４】
本願発明が、単なる記載された実施形態に限定されないこと、及び添付の請求項により規定される本願発明の範囲から逸脱することなく当業者が様々な簡易な修正及び変形を想定可能であることは言うまでもない。特に、上記腕時計ケースの後ろ側に配置された穴８０を横断すると共に、光源２８を電力供給及び制御ボックス８２に接続する有線接続７８により、光源２８は、本願発明に係る腕時計ケース１の外部から、電力供給及び制御可能であるであろう（図１５参照）。回転ベゼル４の幾つかの位置を検知して、異なる方法により光源２８からの発光を行うために、幾つかの接続用凸部３４０Ａ、３４０Ｂ、３４０Ｃが、第１プリント回路シート１６の外面に設けられるものとしてもよい。これらの接続用凸部３４０Ａ〜３４０Ｃの各々は、回転ベゼル４の対応する所定位置において起動部分７２の存在を検知する検知部分７６０Ａ〜７６０Ｃを有する（図１６Ａ及び図１６Ｂ参照）。より具体的には、図１６Ａにおいては、回転ベゼル４は、起動部分７２の存在が第１検知部分７６０Ａにより検知される第１の位置にあり、図１６Ｂにおいては、回転ベゼル４は、起動部分７２の存在が第２検知部分７６０Ｂにより検知される、上記第１の位置とは異なる位置にある。図１６Ａ及び図１６Ｂを見ると明らかなように、３つのうち２つの接続用凸部３４０Ａ、３４０Ｂは、これらが、対応する連結具４４内に通常挿入される際に経由する尖端を有さず、接続用凸部３４０Ｃのみが、そのような尖端を有する。接続用凸部３４０Ｃを用いて、電源及び制御装置３２に向けられた検知部分７６０Ａ、７６０Ｂの生成する信号を準備することにより、このような実施形態では、２つの連結具４４の必要性が無くなる。
【００２５】
本願発明には、多くの適用例が想定可能である。例えば、電源及び制御装置３２が、アラーム信号（音声または機械的振動）を生成すると共に近距離無線通信用の電磁アンテナを有する構成部分を有することが想定可能である。起動部分７２の存在が検知部分７６により検知される所定位置に回転ベゼル４を設置することにより、例えば、時刻及びアラーム時刻については携帯電話を活用して、アラーム信号生成部がプログラムされるものとしてもよい。また、起動部分７２の存在が検知部分７６により検知される所定位置に回転ベゼル４を設置することにより、例えば、料金を支払うために、または車両若しくは住宅のドアを開けるために、上記腕時計ケース内に収納され、かつ、近距離無線通信用の電磁アンテナを備えるメモリ回路、及び遠隔読み取り装置（リモートリーダ）間における情報交換が開始されることも想定可能である。
【符号の説明】
【００２６】
１  腕時計ケース
２  ミドルケース
４  回転ベゼル
６  一組の時計針
８  目盛り盤
１０  目盛り盤脚部
１１  クリスタルガラス
１２ａ、１２ｂ、１２ｃ、１２ｄ、１２ｅ  指標
１４  接着片
１６  第１プリント回路シート
１８  上面
２０  下面
２２ａ、２２ｂ、２２ｃ、２２ｄ  光導体
２３ａ〜２３ｄ  凹部
２４  取り付け用突起部
２６  長辺
２８  光源
３０  短辺
３１  穴
３２  電源及び制御装置
３４  接続用凸部
３６  時計ムーブメント
３８  ケーシングリング
４０  隙間
４２  第２プリント回路シート
４４  連結具
４６  マイクロプロセッサ回路
４８  切り抜き
５０  第１接触パッド
５２  負極端子
５４  電力源
５６  第２接触パッド
５８  正極端子
６０  取り付け用止め具
６２  固定用ねじ
６４  周縁部
６６  接触板
６８  固定用ねじ
７０  裏ぶた
７２  起動部分
７４  偏光方向
７６  検知部分
７８  有線接続
８０  穴
８２  電力供給及び制御ボックス
３４０Ａ〜３４０Ｃ  接続用凸部
７６０Ａ〜７６０Ｃ  検知部分
【図１】
2017516067.tif 000003
【図２】
2017516067.tif 000004
【図３】
2017516067.tif 000005
【図４】
2017516067.tif 000006
【図５】
2017516067.tif 000007
【図６】
2017516067.tif 000008
【図７】
2017516067.tif 000009
【図８】
2017516067.tif 000010
【図９】
2017516067.tif 000011
【図１０】
2017516067.tif 000012
【図１１】
2017516067.tif 000013
【図１２】
2017516067.tif 000014
【図１３】
2017516067.tif 000015
【図１４】
2017516067.tif 000016
【図１５】
2017516067.tif 000017
【図１６Ａ】
2017516067.tif 000018
【図１６Ｂ】
2017516067.tif 000019
【国際調査報告】
2017516067.tif 000020
2017516067.tif 000021
2017516067.tif 000022
2017516067.tif 000023
2017516067.tif 000024
2017516067.tif 000025